(57)【要約】【課題】動画撮像中に静止画を撮像しても、被写体の動きが不連続にならない動画を得ることができる撮像装置を提供すること。【解決手段】本発明に係る撮像装置は、撮像部と、所定のフレーム周期で複数のフレーム画像を撮像部に撮像させる動画撮像制御部と、撮像部が第１のフレーム画像を撮像しているときに、静止画の撮像指示を受け付ける静止画撮像指示受付部と、静止画撮像指示受付部が静止画の撮像指示を受け付けた場合に、撮像部が撮像する第１のフレーム画像に代えて静止画を撮像部に撮像させる静止画撮像制御部と、静止画撮像制御部が撮像部に第１のフレーム画像に代えて静止画を撮像させた場合の、撮像部に静止画の次に撮像させる第２のフレーム画像を取得するための露光動作を、静止画撮像制御部が撮像部に静止画を撮像させなかった場合に、撮像部が第２のフレーム画像を取得する露光動作より早いタイミングで開始させる露光時間制御部とを備える。【選択図】図２
2007036749.tif 000002
【特許請求の範囲】
【請求項１】
撮像部と、
所定のフレーム周期で複数のフレーム画像を含む動画を前記撮像部に撮像させる動画撮像制御部と、
前記撮像部が第１のフレーム画像を撮像しているときに、静止画の撮像指示を受け付ける静止画撮像指示受付部と、
前記静止画撮像指示受付部が静止画の撮像指示を受け付けた場合に、前記撮像部が撮像している第１のフレーム画像に代えて、静止画を前記撮像部に撮像させる静止画撮像制御部と、
前記静止画撮像制御部が前記撮像部に第１のフレーム画像に代えて静止画を撮像させた場合の、前記撮像部が静止画の次に撮像する第２のフレーム画像を取得するための露光動作を、前記静止画撮像制御部が前記撮像部に静止画を撮像させなかった場合に、前記撮像部が第１のフレーム画像の次に撮像する第２のフレーム画像を取得するための露光動作より早いタイミングで開始させる露光時間制御部と
を備える撮像装置。
【請求項２】
前記露光時間制御部は、前記静止画撮像制御部が前記撮像部に第１のフレーム画像に代えて静止画を撮像させた場合の、前記撮像部が静止画の次に撮像する第２のフレーム画像を取得するための露光動作を、前記静止画撮像制御部が前記撮像部に静止画を撮像させなかった場合に、前記撮像部が第１のフレーム画像の次に撮像する第２のフレーム画像を取得するための露光動作と略同一のタイミングで終了させる
請求項１に記載の撮像装置。
【請求項３】
前記撮像部が撮像した複数のフレーム画像を格納する動画格納部と、
前記静止画撮像制御部が前記撮像部に静止画を撮像させなかった場合に、前記撮像部が撮像すべきであった第１のフレーム画像及び第２のフレーム画像として、前記露光時間制御部によって露光動作を開始するタイミングが早く制御されて撮像された第２のフレーム画像を前記動画格納部に格納させる画像格納制御部と
をさらに備える請求項２に記載の撮像装置。
【請求項４】
動画を表示する表示部と、
前記静止画撮像制御部が前記撮像部に静止画を撮像させなかった場合に撮像される第１のフレーム画像を前記表示部に表示させるべき第１の表示期間、及び前記撮像部が撮像した第２のフレーム画像を前記表示部に表示させる第２の表示期間の双方において、前記撮像部が撮像した第２のフレーム画像を前記表示部に表示させる表示制御部と
をさらに備える請求項２に記載の撮像装置。
【請求項５】
前記静止画撮像制御部が前記撮像部に第１のフレーム画像に代えて静止画を撮像させた場合の、前記撮像部が第２のフレーム画像を撮像するときの露出値を、前記静止画撮像制御部が前記撮像部に静止画を撮像させなかった場合に、前記撮像部が第２のフレーム画像を撮像するときの露出値より小さく制御する露出制御部
をさらに備える請求項１に記載の撮像装置。
【請求項６】
撮像段階と、
所定のフレーム周期で複数のフレーム画像を含む動画を前記撮像段階において撮像させる動画撮像制御段階と、
前記撮像段階において第１のフレーム画像が撮像されているときに、静止画の撮像指示を受け付ける静止画撮像指示受付段階と、
前記静止画撮像指示受付段階において静止画の撮像指示が受け付けられた場合に、前記撮像段階において撮像されている第１のフレーム画像に代えて、静止画を前記撮像段階において撮像させる静止画撮像制御段階と、
前記静止画撮像制御段階により前記撮像段階において第１のフレーム画像に代えて静止画が撮像された場合の、前記撮像段階において静止画の次に撮像される第２のフレーム画像を取得するための露光動作を、前記静止画撮像制御段階により前記撮像段階において静止画が撮像されなかった場合に、前記撮像段階において第１のフレーム画像の次に撮像する第２のフレーム画像を取得するための露光動作より早いタイミングで開始させる露光時間制御段階と
を備える撮像方法。
【請求項７】
撮像装置用のプログラムであって、当該撮像装置を、
撮像部、
所定のフレーム周期で複数のフレーム画像を含む動画を前記撮像部に撮像させる動画撮像制御部、
前記撮像部が第１のフレーム画像を撮像しているときに、静止画の撮像指示を受け付ける静止画撮像指示受付部、
前記静止画撮像指示受付部が静止画の撮像指示を受け付けた場合に、前記撮像部が撮像している第１のフレーム画像に代えて、静止画を前記撮像部に撮像させる静止画撮像制御部、
前記静止画撮像制御部が前記撮像部に第１のフレーム画像に代えて静止画を撮像させた場合の、前記撮像部が静止画の次に撮像する第２のフレーム画像を取得するための露光動作を、前記静止画撮像制御部が前記撮像部に静止画を撮像させなかった場合に、前記撮像部が第１のフレーム画像の次に撮像する第２のフレーム画像を取得するための露光動作より早いタイミングで開始させる露光時間制御部
として機能させるプログラム。
【発明の詳細な説明】
【技術分野】
【０００１】
本発明は、撮像装置、撮像方法、及びプログラムに関する。特に本発明は、動画及び静止画を撮像する撮像装置及び撮像方法、並びに、撮像装置用のプログラムに関する。
【背景技術】
【０００２】
従来、動画の記録中に静止画を撮影してもコマ落ちのない動画を得ることができるムービ・スチル・カメラがある（例えば、特許文献１参照。）。このムービ・スチル・カメラでは、動画の記録中には、一駒が水平方向６４０画素、垂直方向４８０画素をもつ動画データが一定周期で得られる。そして、動画データを記録中にレリーズボタンが押されると、水平方向１２８０画素、垂直方向９６０画素の静止画像データが取得され、メモリ・カードに記録される。このとき、静止画像データから、動画用の一駒の画像と同じ大きさをもつ縮小画像が生成され、静止画像データが得られた位置に挿入される。
【特許文献１】特開２００３−２１９３４１号公報
【発明の開示】
【発明が解決しようとする課題】
【０００３】
しかしながら、特許文献１のムービ・スチル・カメラを用いて、動画撮像中に、動画の一駒を撮像する露光時間より短い露光時間で静止画を撮像した場合、得られる動画データを再生表示すると、静止画が縮小された一駒が表示されるタイミングの前後において被写体の動きが不連続に見えてしまう場合がある。このため、再生される動画が見づらいものになってしまうという課題があった。
【０００４】
そこで本発明は、上記の課題を解決することができる撮像装置、撮像方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態における撮像装置は、撮像部と、所定のフレーム周期で複数のフレーム画像を含む動画を撮像部に撮像させる動画撮像制御部と、撮像部が第１のフレーム画像を撮像しているときに、静止画の撮像指示を受け付ける静止画撮像指示受付部と、静止画撮像指示受付部が静止画の撮像指示を受け付けた場合に、撮像部が撮像している第１のフレーム画像に代えて、静止画を撮像部に撮像させる静止画撮像制御部と、静止画撮像制御部が撮像部に第１のフレーム画像に代えて静止画を撮像させた場合の、撮像部が静止画の次に撮像する第２のフレーム画像を取得するための露光動作を、静止画撮像制御部が撮像部に静止画を撮像させなかった場合に、撮像部が第１のフレーム画像の次に撮像する第２のフレーム画像を取得するための露光動作より早いタイミングで開始させる露光時間制御部とを備える。
【０００６】
露光時間制御部は、静止画撮像制御部が撮像部に第１のフレーム画像に代えて静止画を撮像させた場合の、撮像部が静止画の次に撮像する第２のフレーム画像を取得するための露光動作を、静止画撮像制御部が撮像部に静止画を撮像させなかった場合に、撮像部が第１のフレーム画像の次に撮像する第２のフレーム画像を取得するための露光動作と略同一のタイミングで終了させてよい。
【０００７】
撮像部が撮像した複数のフレーム画像を格納する動画格納部と、静止画撮像制御部が撮像部に静止画を撮像させなかった場合に、撮像部が撮像すべきであった第１のフレーム画像及び第２のフレーム画像として、露光時間制御部によって露光動作を開始するタイミングが早く制御されて撮像された第２のフレーム画像を動画格納部に格納させる画像格納制御部とをさらに備えてよい。
【０００８】
動画を表示する表示部と、静止画撮像制御部が撮像部に静止画を撮像させなかった場合に撮像される第１のフレーム画像を表示部に表示させるべき第１の表示期間、及び撮像部が撮像した第２のフレーム画像を表示部に表示させる第２の表示期間の双方において、撮像部が撮像した第２のフレーム画像を表示部に表示させる表示制御部とをさらに備えてよい。
【０００９】
静止画撮像制御部が撮像部に第１のフレーム画像に代えて静止画を撮像させた場合の、撮像部が第２のフレーム画像を撮像するときの露出値を、静止画撮像制御部が撮像部に静止画を撮像させなかった場合に、撮像部が第２のフレーム画像を撮像するときの露出値より小さく制御する露出制御部をさらに備えてよい。
【００１０】
本発明の第２の形態における撮像方法は、撮像段階と、所定のフレーム周期で複数のフレーム画像を含む動画を撮像段階において撮像させる動画撮像制御段階と、撮像段階において第１のフレーム画像が撮像されているときに、静止画の撮像指示を受け付ける静止画撮像指示受付段階と、静止画撮像指示受付段階において静止画の撮像指示が受け付けられた場合に、撮像段階において撮像されている第１のフレーム画像に代えて、静止画を撮像段階において撮像させる静止画撮像制御段階と、静止画撮像制御段階により撮像段階において第１のフレーム画像に代えて静止画が撮像された場合の、撮像段階において静止画の次に撮像される第２のフレーム画像を取得するための露光動作を、静止画撮像制御段階により撮像段階において静止画が撮像されなかった場合に、撮像段階において第１のフレーム画像の次に撮像する第２のフレーム画像を取得するための露光動作より早いタイミングで開始させる露光時間制御段階とを備える。
【００１１】
本発明の第３の形態によると、撮像装置用のプログラムであって、当該撮像装置を、撮像部、所定のフレーム周期で複数のフレーム画像を含む動画を撮像部に撮像させる動画撮像制御部、撮像部が第１のフレーム画像を撮像しているときに、静止画の撮像指示を受け付ける静止画撮像指示受付部、静止画撮像指示受付部が静止画の撮像指示を受け付けた場合に、撮像部が撮像している第１のフレーム画像に代えて、静止画を撮像部に撮像させる静止画撮像制御部、静止画撮像制御部が撮像部に第１のフレーム画像に代えて静止画を撮像させた場合の、撮像部が静止画の次に撮像する第２のフレーム画像を取得するための露光動作を、静止画撮像制御部が撮像部に静止画を撮像させなかった場合に、撮像部が第１のフレーム画像の次に撮像する第２のフレーム画像を取得するための露光動作より早いタイミングで開始させる露光時間制御部として機能させる。
【００１２】
なお上記の発明の概要は、本発明の必要な特徴の全てを列挙したものではなく、これらの特徴群のサブコンビネーションもまた発明となりうる。
【発明の効果】
【００１３】
本発明によれば、動画撮像中に静止画を撮像しても、動画再生時に被写体の動きが不連続になることのない動画を得ることができる撮像装置を提供することができる。
【発明を実施するための最良の形態】
【００１４】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１５】
図１は、この発明の一実施形態に係る撮像システム１００の利用環境の一例を示す。撮像装置１１０は、一定周期で動画用のフレーム画像を撮像している最中に、静止画を撮像するレリーズボタンが撮像者１９０により押下されると、動画のフレーム画像を撮像するかわりに、フレーム画像を撮像する露光時間より短い露光時間で静止画を撮像する。このとき、撮像装置１１０は、撮像した静止画の次に撮像すべきフレーム画像を撮像するための露光開始時刻を早めて撮像する。そして、撮像装置１１０は、露光開始時刻を早めて撮像されたフレーム画像を、フレーム画像が本来撮像されたタイミングのフレーム画像として記録するとともに、静止画を撮像したタイミングで撮像されたフレーム画像としても記録する。そして、表示装置１２０は、インターネット等の通信回線、半導体メモリ等の記録媒体等を介して、撮像装置１１０が撮像したフレーム画像及び静止画を受け取る。そして表示装置１２０は、フレーム画像を連続的に再生することによって動画として再生する。
【００１６】
なお、撮像装置１１０は、露光開始時刻を早めて撮像されたフレーム画像に、露光開始時刻を早めて撮像された旨を付帯させて記録してもよい。そして、表示装置１２０は、撮像装置１１０から受け取ったフレーム画像を連続的に表示していくときに、表示したフレーム画像に露光開始時刻を早めて撮像された旨が付帯されている場合には、当該フレーム画像を再度表示してよい。
【００１７】
なお、撮像装置１１０は、デジタルスチルカメラ、デジタルビデオカメラ等の撮像機器であってよく、カメラ付きの携帯電話、ＰＤＡ等の、撮像機能を有する携帯情報端末等であってよい。なお、表示装置１２０は、パーソナルコンピュータ、電子アルバム、電子フォトスタンド、ＨＤＴＶ等の、動画を表示する装置であってよい。
【００１８】
以上説明した撮像システム１００によれば、撮像装置１１０は、動画再生時に、静止画を撮像したタイミングの前後において被写体の動きが不連続になることを防ぐことができる。このため、撮像者１９０は、動画撮像中においてシャッタチャンスを逃すことなく、自由なタイミングで静止画を撮像することができる。
【００１９】
図２は、撮像装置１１０のブロック構成の一例を示す。撮像装置１１０は、動画撮像制御部２００、静止画撮像指示受付部２０１、静止画撮像制御部２０２、露光時間制御部２０４、露出制御部２０６、撮像部２１０、静止画撮像タイミング記録部２０８、動画格納部２１２、画像格納制御部２１４、表示制御部２１６、表示部２１８、及び動画出力部２１９を備える。
【００２０】
撮像部２１０は、フレーム画像及び静止画を撮像する。具体的には、撮像部２１０は、被写体からの光をＣＣＤ等の撮像素子に露光させて被写体を撮像する。動画撮像制御部２００は、所定のフレーム周期で複数のフレーム画像を含む動画を撮像部２１０に撮像させる。動画撮像制御部２００は、所定のフレーム周期で複数のフレーム画像を含む動画を撮像部２１０に撮像させる。
【００２１】
静止画撮像指示受付部２０１は、撮像部２１０が第１のフレーム画像を撮像しているときに、静止画の撮像指示を受け付ける。具体的には、静止画撮像指示受付部２０１は、撮像者１９０が静止画を撮像するレリーズボタンの押下を、静止画の撮像指示として受け付ける。そして、静止画撮像制御部２０２は、静止画撮像指示受付部２０１が静止画の撮像指示を受け付けた場合に、撮像部２１０が撮像している第１のフレーム画像に代えて、静止画を撮像部２１０に撮像させる。
【００２２】
このとき、露光時間制御部２０４は、静止画撮像制御部２０２が撮像部２１０に第１のフレーム画像に代えて静止画を撮像させた場合の、撮像部２１０が静止画の次に撮像する第２のフレーム画像を取得するための露光動作を、静止画撮像制御部２０２が撮像部２１０に静止画を撮像させなかった場合に、撮像部２１０が第１のフレーム画像の次に撮像する第２のフレーム画像を取得するための露光動作より早いタイミングで開始させる。このため、撮像装置１１０が静止画を撮像したタイミング付近における被写体の動きの軌跡を、フレーム画像に収めることができる。
【００２３】
なお、露光時間制御部２０４は、静止画撮像制御部２０２が撮像部２１０に第１のフレーム画像に代えて静止画を撮像させた場合の、撮像部２１０が静止画の次に撮像する第２のフレーム画像を取得するための露光動作を、静止画撮像制御部２０２が撮像部２１０に静止画を撮像させなかった場合に、撮像部２１０が第１のフレーム画像の次に撮像する第２のフレーム画像を取得するための露光動作と略同一のタイミングで終了させる。これにより、静止画を撮像しない場合の所定のフレーム周期で撮像した場合に撮像されるべき被写体の動きの奇跡を、静止画の後に撮像されたフレーム画像に収めることができる。
【００２４】
動画格納部２１２は、撮像部２１０が撮像した複数のフレーム画像を格納する。そして、画像格納制御部２１４は、静止画撮像制御部２０２が撮像部２１０に静止画を撮像させなかった場合に、撮像部２１０が撮像すべきであった第１のフレーム画像及び第２のフレーム画像として、露光時間制御部２０４によって露光動作を開始するタイミングが早く制御されて撮像された第２のフレーム画像を動画格納部２１２に格納させる。これにより、静止画を撮像することによって取得できなかったフレーム画像として、静止画が撮像されたタイミングにより近い時刻における被写体の動きの軌跡を含む画像を記録することができる。
【００２５】
表示部２１８は、動画を表示する。具体的には、表示部２１８は、動画格納部２１２が撮像したフレーム画像を連続的に表示することによって、動画を表示する。動画撮像制御部２００によって露光動作の開始が早められて撮像されたフレーム画像には、静止画が撮像されたタイミングにより近いタイミングにおける被写体の動きの軌跡が収められているので、動画再生時に、静止画が撮像されたタイミングの前後において被写体の動きが不連続に見えてしまうことを防ぐことができる。
【００２６】
なお、露出制御部２０６は、静止画撮像制御部２０２が撮像部２１０に第１のフレーム画像に代えて静止画を撮像させた場合の、撮像部２１０が第２のフレーム画像を撮像するときの露出値を、静止画撮像制御部２０２が撮像部２１０に静止画を撮像させなかった場合に、撮像部２１０が第２のフレーム画像を撮像するときの露出値より小さく制御する。具体的には、露出制御部２０６は、絞り値を制御することによって、撮像部２１０の撮像素子への時間当たりの露光量を制御する。より具体的には、露出制御部２０６は、静止画の撮像前のフレーム画像を撮像するときの露光期間における露光量と、静止画の次に撮像するフレーム画像を撮像するときの露光期間における露光量とが略同一になるよう、露光時間制御部２０４によって設定された露光時間に基づいて、絞り値を設定する。これにより、撮像部２１０は、露光動作を早めて撮像されたフレーム画像の明るさと所定のフレーム周期で撮像されるフレーム画像の明るさとを揃えることができる。
【００２７】
なお、動画格納部２１２は、露光動作を開始するタイミングが早く制御されて撮像されたフレーム画像を、第１のフレーム画像又は第２のフレーム画像のいずれか一方として格納してよい。そして、表示制御部２１６は、静止画撮像制御部２０２が撮像部２１０に静止画を撮像させなかった場合に撮像される第１のフレーム画像を表示部２１８に表示させるべき第１の表示期間、及び撮像部２１０が撮像した第２のフレーム画像を表示部２１８に表示させる第２の表示期間の双方において、撮像部２１０が撮像した第２のフレーム画像を表示部２１８に表示させてよい。
【００２８】
具体的には、静止画撮像タイミング記録部２０８は、静止画撮像制御部２０２が撮像部２１０に第１のフレーム画像に代えて静止画を撮像させた場合に、第１のフレーム画像が、撮像部２１０が静止画の次に撮像する第２のフレーム画像と同一である旨を示す静止画記録情報を、動画格納部２１２に記録させる。静止画記録情報とは、例えば、第２のフレーム画像を連続して表示すべき旨を第２のフレーム画像に付帯されたタグ情報等であってよい。他にも、第２のフレーム画像と同一の画像内容である旨がフレーム画像Ｆ１に付帯されたタグ情報等であってもよい。そして、表示制御部２１６は、動画格納部２１２に静止画記録情報が記録されている場合に、第１の表示期間及び第２の表示期間に、第２のフレーム画像を表示部２１８に表示させる。このため、撮像装置１１０は、同一のフレーム画像を連続して表示する場合に、付帯情報を付与するだけでよく、第１のフレーム画像及び第２のフレーム画像に同一のフレーム画像を記録しなくて済む。
【００２９】
以上説明したように、本実施形態における撮像装置１１０によれば、静止画を撮像した後に、露光時間を早めてフレーム画像を撮像することによって、静止画を撮像したタイミングの近傍での被写体の動きをフレーム画像に収めることができる。このため、動画撮像中に静止画を撮像した場合であっても、動画再生時に被写体の動きが不連続に見えてしまうことのない動画データを、容易に生成することができる。
【００３０】
なお、動画出力部２１９は、動画格納部２１２が格納する複数のフレーム画像を、表示装置１２０に提供する。そして、表示装置１２０は、表示制御部２１６及び表示部２１８と同様の、動画を表示させる機能を有してよい。
【００３１】
図３は、撮像装置１１０による動画及び静止画の撮像過程の一例を示す図である。本図の例では、動画撮像制御部２００は、予め定められた周期の露光開始時刻ｔ３０１ａ、ｔ３０２ａ、ｔ３０３ａ・・・から、絞り値αで露光時間Ｌｍだけ撮像部２１０の撮像素子を露光させる。このとき、露光開始時刻ｔ３０２ａからの露光期間（ｔ３０２ａ〜ｔ３０２ａ＋Ｌｍ）が終了する間に、静止画を撮像する指示があった場合に、静止画撮像制御部２０２は、フレーム画像の露光時間Ｌｍより短い露光時間Ｌｓで、撮像部２１０の撮像素子を露光させて静止画を撮像させる。このとき、静止画撮像制御部は、フレーム画像の露光開始時刻ｔ３０２ａから既に露光を開始していた場合には、静止画の露光開始時刻ｔ３０２ｂまでの間に、撮像部２１０の露光素子に露光させることによって蓄積された電荷を一旦放電させる。
【００３２】
そして、露光時間制御部２０４は、フレーム画像Ｆ２を撮像する露光開始時刻を、静止画Ｓを撮像しなかった場合に露光動作を開始させる露光開始時刻ｔ３０３ａより前の時刻ｔ３０３ａ′に設定するとともに、露光終了時刻を、静止画の次に撮像すべきフレーム画像の露光終了時刻ｔ３０３ａ＋Ｌｍに設定する。このとき、露出制御部２０６は、露光時間制御部２０４によって設定された露光時間Ｌｍ′（＝ｔ３０３ａ＋Ｌｍ−ｔ３０３ａ′）を計算して、フレーム画像Ｆ２を撮像する場合の絞り値として、露光時間Ｌｍで露光させる場合の絞り値αに、露光時間Ｌｍ′／Ｌｍを乗じた値を設定する。これにより、静止画を撮像した前後のフレーム画像の明るさをそろえることができる。
【００３３】
以上説明した撮像動作によって、撮像装置１１０は、静止画Ｓの前に撮像されたフレーム画像Ｆ０、静止画Ｓ、及び静止画Ｓの後に撮像されたフレーム画像Ｆ２を取得して、記録する。そして、画像格納制御部２１４は、フレーム画像Ｆ２を、露光開始時刻ｔ３０３ａから露光させることによって撮像されるべきフレーム画像として動画格納部２１２に格納させるとともに、露光開始時刻ｔ３０２ａから露光させることによって撮像されるべきフレーム画像Ｆ１としてもフレーム画像Ｆ２を動画格納部２１２に格納させる。このため、撮像装置１１０は、時刻ｔ３０３ａより前の被写体の軌跡を含むフレーム画像Ｆ１を記録することができる。このため、表示部２１８がフレーム画像Ｆ０、Ｆ１、及びＦ２を連続的に再生しても、被写体の動きが不連続に見えてしまうことがない。
【００３４】
図４は、フレーム画像を動画として表示する処理フローの一例を示す図である。本図の例では、静止画Ｓを撮像することによってフレーム画像Ｆ１を撮像することができなかった場合において、静止画撮像タイミング記録部２０８がフレーム画像Ｆ２のタグ情報に、連続表示フラグを記録した場合の動作フローの一例を示す。表示制御部２１６は、動画格納部２１２に格納されたフレーム画像を、フレーム周期に相当する表示期間、表示部２１８に表示させる（Ｓ４０２）。そして、表示制御部２１６は、Ｓ４０２で表示させたフレーム画像に、連続表示フラグが記録されているか否かを判断する（Ｓ４０４）。
【００３５】
Ｓ４０４において、表示制御部２１６は、Ｓ４０２で表示させたフレーム画像に連続表示フラグが記録されている場合には、Ｓ４０２において表示部２１８に表示させたフレーム画像を、フレーム周期に相当する表示期間、再度表示させる（Ｓ４０６）。そして、表示制御部２１６は、表示すべき最後のフレーム画像が表示されたか否かを判断する（Ｓ４０８）。Ｓ４０８において、表示すべき最後のフレーム画像が表示された場合には、表示制御部２１６は、処理を終了する。また、Ｓ４０８において、表示すべき最後のフレーム画像が表示されていない場合には、表示制御部２１６は、次のフレーム画像を表示させるべくＳ４０２に処理を移行させる。また、Ｓ４０４において、Ｓ４０２で表示させたフレーム画像に、連続表示フラグが記録されていない場合には、表示制御部２１６は、Ｓ４０８に処理を移行させる。
【００３６】
以上説明した表示制御部２１６による再生動作によって、露光動作を早めて撮像したフレーム画像Ｆ２を、フレーム画像Ｆ１として重複して記録しなくて済む。
【００３７】
以上説明したように、本実施形態の撮像装置１１０によれは、動画撮像中にフレーム画像にかえて静止画を撮像した場合でも、被写体の動き適切に反映された動画データを生成することができる。また、撮像装置１１０は、画像認識等の複雑かつ処理に時間を要する処理をすることなく、閲覧者に不自然さを感じさせることのない動画データを生成することができる。
【００３８】
図５は、撮像装置１１０に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００３９】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００４０】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置１１０と通信し、撮像装置１１０にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００４１】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００４２】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置１１０に送信される。撮像装置１１０に送信されたプログラムは、撮像装置１１０においてインストールされて実行される。
【００４３】
撮像装置１１０にインストールされて実行されるプログラムは、撮像装置１１０を、図１から図４に関連して説明した動画撮像制御部２００、静止画撮像指示受付部２０１、静止画撮像制御部２０２、露光時間制御部２０４、露出制御部２０６、撮像部２１０、静止画撮像タイミング記録部２０８、動画格納部２１２、画像格納制御部２１４、表示制御部２１６、表示部２１８、及び動画出力部２１９として機能させる。
【００４４】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００４５】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００４６】
【図１】撮像システム１００の利用環境の一例を示す図である。
【図２】撮像装置１１０のブロック構成の一例を示す図である。
【図３】撮像装置１１０による動画及び静止画の撮像過程の一例を示す図である。
【図４】動画を表示する処理フローの一例を示す図である。
【図５】撮像装置１１０に係るコンピュータ１５００のハードウェア構成の一例を示す図である。
【符号の説明】
【００４７】
１１０  撮像装置
２００  動画撮像制御部
２０１  静止画撮像指示受付部
２０２  静止画撮像制御部
２０４  露光時間制御部
２０６  露出制御部
２０８  静止画撮像タイミング記録部
２１０  撮像部
２１２  動画格納部
２１４  画像格納制御部
２１６  表示制御部
２１８  表示部
２１９  動画出力部
【図１】
2007036749.tif 000003
【図２】
2007036749.tif 000004
【図３】
2007036749.tif 000005
【図４】
2007036749.tif 000006
【図５】
2007036749.tif 000007